(57)【要約】【課題】  各種装置における機械的取扱や保管が容易であるとともに、ラベルを再剥離、再接着可能な付箋としても使用できるラベルシートを提供する。【課題の解決手段】  ラベルシート１は、２枚の重ね合わせたシートを少なくとも一対の対向辺に沿って線糊で綴じ合わせ、上位シート２には、非カット部９ａ，９ｂを二箇所設けた切り込み１０でラベル１１を２列状態で配置したラベル形成部７と、表出面に伝達情報１３を表示した情報表示部８とを設け、上位シート２の各ラベル１１の表面には彩色部１２を設け、裏面には非カット部９ａ，９ｂに対応しない部分に再剥離、再接着可能な粘着剤を設ける一方、この粘着剤と対接するように下位シートの表面には剥離剤を設けたものである。【選択図】    図１
2006011142.tif 000002
【特許請求の範囲】
【請求項１】
２枚の重ね合わせたシートを少なくとも一対の対向辺に沿って綴じ合わせ、上位のシートには、少なくとも一箇所で不連続状態となる切り込みによって形成したラベルを設け、上位のシートの前記ラベルの裏面には前記切り込み不連続部分に対応しないようにして再剥離、再接着可能な粘着剤を部分的に設ける一方、下位のシートの表面には前記粘着剤と対接するように剥離剤を設けてなることを特徴とするラベルシート。
【請求項２】
ラベルは、２列に並べて設け、各列のラベルの互いに対向する側の裏面に粘着剤を帯状に設けたことを特徴とする請求項１記載のラベルシート。
【請求項３】
ラベルは、互いに対向する側を分離可能に連接し、この分離可能な連接部分を含むようにして粘着剤を帯状に設けたことを特徴とする請求項２記載のラベルシート。
【請求項４】
下位のシートの各ラベルに対応する部分にはそれぞれ、剥離剤部分を除いた位置に、前記各ラベルを分離すると露出する情報をあらかじめ表示したことを特徴とする請求項２又は請求項３記載のラベルシート。
【発明の詳細な説明】
【技術分野】
【０００１】
本発明は、ラベルシートに関し、特に、再剥離、再接着可能な粘着剤を部分的に設けてなるラベルを複数形成したラベルシートに関する。
【背景技術】
【０００２】
従来のこの種ラベルシートとしては、テープ状に形成して、裏面の一縁に沿って粘着剤無塗工部分を設ける一方、表面には剥離剤層を設けることによって剥離紙を不要にし、表裏面が対接するようにロール状に巻回した状態で保管するものが知られている。
【特許文献１】特開２０００−３０９７６２号公報
【発明の開示】
【発明が解決しようとする課題】
【０００３】
ところが、上述した従来のテープ状ラベルシートにあっては、必要な情報の印字や印刷は粘着剤を塗工する前段階で行う必要があり、製造工程の手順が制約されるほか、粘着剤塗工部分と無塗工部分とで厚みに差があるので、巻回するテープの長さに比例して、均等に巻回することが困難になり、保管にも不便であるという不都合があった。本発明は、このような不都合を解消したラベルシートを提供することを目的とする。
【課題を解決するための手段】
【０００４】
この目的を達成するために、本発明の請求項１に係るラベルシートは、２枚の重ね合わせたシートを少なくとも一対の対向辺に沿って綴じ合わせ、上位のシートには、少なくとも一箇所で不連続状態となる切り込みによって形成したラベルを設け、上位のシートの前記ラベルの裏面には前記切り込み不連続部分に対応しないようにして再剥離、再接着可能な粘着剤を部分的に設ける一方、下位のシートの表面には前記粘着剤と対接するように剥離剤を設けてなるものである。
【０００５】
また、本発明の請求項２に係るラベルシートは、上記請求項１のラベルシートの構成において、ラベルを２列に並べて設け、各列のラベルの互いに対向する側の裏面に粘着剤を帯状に設けたものである。
【０００６】
さらに、本発明の請求項３に係るラベルシートは、上記請求項２のラベルシートの構成において、ラベルは、互いに対向する側を、例えば切り用ミシン目を介して、分離可能に連接し、この分離可能な連接部分を含むようにして粘着剤を帯状に設けたものである。
【０００７】
またさらに、本発明の請求項４に係るラベルシートは、上記請求項２又は請求項３記載のラベルシートの構成において、下位のシートの各ラベルに対応する部分にはそれぞれ、剥離剤部分を除いた位置に、前記各ラベルを分離すると露出する情報をあらかじめ表示したものである。
【発明の効果】
【０００８】
本発明に係るラベルシートによれば、表裏に表出する面に段差がないとともに、ラベルを形成する切り込みに不連続部分を設けることによって、裏面に粘着剤が設けられていない部分でも不用意に捲り上がる虞がないので、表出面への印字、印刷や、封筒内への機械的挿入などにおける機械的取扱が容易であり、また、、保管にも便利であるほか、ラベルを再剥離、再接着可能な付箋としても使用できる、という効果を奏する。
【発明を実施するための最良の形態】
【０００９】
以下、本発明のラベルを付箋として使用する場合の好適な実施形態について添付図面に基づき説明する。ここにおいて、図１は第１の実施形態における平面図、図２は図１のＡ−Ａ線断面図、図３はラベルを分離した状態を示す図１の部分拡大図、図４はラベルの他の実施形態を示す平面図である。
【００１０】
図１及び図２に示すように、ラベルシート１は、上位シート２と下位シート３とを重ね合わせ、一対の対向辺全長に沿った部分と、これらと平行に伸びる部分の３箇所で線糊４，５，６で綴じ合わせてなる。そして、前記上位シート２における、各線糊４，６に挟まれた部分がラベルを形成するラベル形成部７となり、各線糊５，６に挟まれた部分が各種情報を表示する情報表示部８となっている。
【００１１】
図１で理解できるように、上位シート２のラベル形成部７には、長辺の２箇所で不連続状態となるよう非カット部９ａ，９ｂを設けた切り込み１０によって、ラベル１１（図３参照）を２列に並べて設けている。また、各ラベル１１の表面には、各列のラベル１１の互いの離反する短辺側の端部に、適宜な色彩を施した彩色部１２を設けている。一方、情報表示部８には、ラベル１１の使用方法、各種案内、広告などの伝達情報１３を表示している。
【００１２】
図２に示すように、各列のラベル１１の互いに対向する短辺側の裏面には、上位シート２の上下方向いっぱいに伸びるよう帯状に公知の再剥離、再接着可能な粘着剤１４を設ける一方、下位シート３の表面にはこの粘着剤１４と対接するように剥離剤１５を設けている。これによって、前記上位シート２と前記下位シート３は、線糊４，５，６部分では剥離困難に、粘着剤１４部分では剥離可能に、綴じ合わされた状態となっている。
【００１３】
また、図３に示すように、下位シート３のラベル１１に対応する部分には、剥離剤１５塗布部分を除いた位置に、前記ラベル１１を分離すると露出する情報である「使用済」という注意文１６をあらかじめ表示している。
【００１４】
続いて、上述のように構成した本実施形態のラベルシート１の付箋としての使用方法を説明する。ラベルシート１は、手渡しや郵送によって使用者に渡されるが、その際、ラベルシート１の表裏の表出面に段差はなく、また、２枚のシート２，３が確実に綴じ合わされているとともに、各ラベル１１の切り込み１０には非カット部９ａ，９ｂが存在するので、各ラベル１１の非接着部分が捲り上がってしまうことはなく、取扱が容易である。そして、郵送に際しては、他の書類等とともに、あるいは単独で、封筒内に挿入、封緘したり、樹脂フィルムで梱包する作業を、公知の装置を用いて機械的に円滑に行うことができる。
【００１５】
一方、ラベルシート１を手に入れた使用者は、適宜なラベル１１の非接着部分を摘んで捲り上げ、非カット部９ａ，９ｂを破断して、上位シート２から分離する。分離したラベル１１のあとには、図３に示すように、下位シート３に表示した注意文１６が露出する。そして、分離したラベル１１は、一般的な付箋と同様に、本や各種書類の目的とするページの上端部などに、彩色部１２が露出するようにして、粘着剤１４部分で接着する。そして、この接着したラベル１１は、再剥離、再接着可能である。
【００１６】
図４は、本発明のラベルに関する別の実施形態を示し、長辺方向の長さが、上述したラベル１１よりも長いラベル２１を、非カット部１９ａ，１９ｂを設けた切り込み２０で形成して、切り用ミシン目２３を介して連接したものである。このラベル２１の裏面の粘着剤（図示せず）は、前記切り用ミシン目２３を含む部分に前記非カット部１９ａ，１９ｂには対応しないようにして、上述のラベル１１と同様に部分的に帯状に設けたものである。また、前記ラベル２１の表面には彩色部２２を設けている。なお、図示していないが、下位シートの構成は上述した第１の実施形態の下位シート３と同一である。
【００１７】
本実施形態にあっては、２枚のラベル２１が切り用ミシン目２３を介して分離可能に連接された状態にあるので、ラベル２１は上位シートに１列状態で設けられることになる。他の構成については、上述したラベル１１及びこのラベルを設けたラベルシート１と同一であるから、その説明は省略する。
【００１８】
本実施形態のラベル２１の使用方法は、基本的には上述したラベル１１と同様であるが、連接した２枚のラベル２１をラベルシートから一度に分離できるので、複数枚のラベル２１が必要な場合に使い勝手がよい、という利点がある。そして、２枚のラベル２１は、切り用ミシン目２３で分離して、１枚ずつ所望の位置に接着することができる。
【００１９】
なお、本発明は上述した各実施形態に限定されるものではなく、例えば、ラベル１１，２１の数や配置状態は図示のものに限定されない。、また、切り込み１０，２０の非カット部９ａ，９ｂ，１９ａ，１９ｂは二箇所に限らず、一箇所あるいは三箇所など適宜変更可能である。さらに、２枚のラベル２１の分離可能な連接は、切り用ミシン目２３を介して連接するほか、中央部分に非カット部を設けた切り込みや、ハーフカット状の切り込みを介して連接してもよい。またさらに、情報表示部８や彩色部１２，２２は必ずしも設ける必要はない。
【図面の簡単な説明】
【００２０】
【図１】第１の実施形態における平面図。
【図２】図１のＡ−Ａ線断面図。
【図３】ラベルを分離した状態を示す図１の部分拡大図。
【図４】ラベルの他の実施形態を示す平面図。
【符号の説明】
【００２１】
１      ラベルシート
２      上位シート
３      下位シート
４，５，６      線糊
７      ラベル形成部
８      情報表示部
９ａ，９ｂ，１９ａ，１９ｂ      非カット部
１０，２０      切り込み
１１，２１      ラベル
１２，２２      彩色部
１３      伝達情報
１４      粘着剤
１５      剥離剤
１６      注意文
【図１】
2006011142.tif 000003
【図２】
2006011142.tif 000004
【図３】
2006011142.tif 000005
【図４】
2006011142.tif 000006